(57)【要約】【課題】  練り餌を堅固かつ容易に結合させることができ，更に練り餌の結合を空中及び水中において安定的に維持する。【解決手段】  一端が釣り糸２と結合可能な，鉤状に彎曲された釣り針１０であって，釣り針１０の針先から所定の距離だけ離隔された針先近傍の部位に，所定の厚さ及び所定の長さに突出形成された突部１１を有し，突部１１の中央部位には，釣り針１０の彎曲部位によって形成される面を貫く方向に貫通する貫通孔１２が形成されるように構成した。このとき，貫通孔１２は，釣り針１０の針先が延長される方向と同方向に長く形成されるのがよい。また，突部１１の上記針先が延長される方向の中間部近傍に，貫通孔１２側に切曲された切曲部１３を形成することもできる。【選択図】    図２
2005253461.tif 000002
【特許請求の範囲】
【請求項１】
一端が釣り糸と結合可能な，鉤状に彎曲された釣り針であって，
前記釣り針の針先から所定の距離だけ離隔された針先近傍の部位に，所定の厚さ及び所定の長さに突出形成された突部を有し，
前記突部の中央部位には，前記釣り針の彎曲部位によって形成される面を貫く方向に貫通する貫通孔が形成されたこと，
を特徴とする釣り針。
【請求項２】
前記貫通孔は，前記針先が延長される方向と同方向に長く形成されたことを特徴とする請求項１に記載の釣り針。
【請求項３】
前記突部の前記針先が延長される方向の中間部近傍に，前記貫通孔側に切曲された切曲部が形成されたことを特徴とする請求項１又は２のいずれか１項に記載の釣り針。
【発明の詳細な説明】
【技術分野】
【０００１】
本発明は，魚釣りに用いられる釣り針に関する。
【背景技術】
【０００２】
一般的に，釣りは，川，湖，海，貯水池，江などにおいて，魚を釣るレジャーとして，従来から多くの人々が余暇を利用して楽しんできた。このような釣りは，釣り竿，釣り糸，釣り針及び釣り餌などの多様な道具及び装備を用いて行い，釣り針に釣り餌を結合または付着させることによって魚を釣る。
【０００３】
上記のような各種の釣り道具および装備のうち，釣り針に結合する釣り餌は，釣る魚の種類に応じて，例えば，蚯蚓，練り餌，煮たじゃが芋などを用いることができる。中でも練り餌は，釣りをレジャーとして楽しむ一般の人々が容易に求めることができる釣り餌の一つであり，釣りの餌としてよく用いられている。
【発明の開示】
【発明が解決しようとする課題】
【０００４】
従来の釣り針は，上記のような練り餌を結合または付着させて水中へ投与した際に，釣り針から練り餌が離脱して脱落するといったことが頻繁に生じていた。また，水中においても，釣り針に付着させた練り餌が短時間で溶解して釣り針から離脱される，といった問題が生じていた。このような釣り針からの餌の脱落を防止するための，釣り針と練り餌との付着力を向上させるような別途の装置または構造などは，これまでに開発されておらず，この部分に関する研究あるいは新たな試みが必要とされていた。
【０００５】
そこで，本発明は，このような問題に鑑みてなされたもので，その目的とするところは，練り餌を堅固かつ容易に結合させることができ，かつ練り餌の結合を空中及び水中において安定的に維持することのできる釣り針を提供することにある。
【課題を解決するための手段】
【０００６】
釣り針と練り餌との結合は，機械的な結合によってなされる。すなわち，二つの物体が相互に付着または結合する際の原理としては，電気的な吸着，磁気的な吸着，化学的な結合，または機械的な結束（結合）などがあり得るが，釣り針に練り餌が付着される原理は，主に機械的な結束（ｍｅｃｈａｎｉｃａｌ  ｌｏｃｋｉｎｇ）の原理によるものである。上記のような釣り針と練り餌との機械的な結束を強化する方法としては，練り餌が付着される釣り針部位の形態の変化，または表面積の増加によって得ることが考えられる。
【０００７】
そこで，上記課題を解決するために，本発明のある観点によれば，一端が釣り糸と結合可能な，鉤状に彎曲された釣り針であって，上記釣り針の針先から所定の距離だけ離隔された針先近傍の部位に，所定の厚さ及び所定の長さに突出形成された突部を有し，上記突部の中央部位には，上記釣り針の彎曲部位によって形成される面を貫く方向に貫通する貫通孔が形成されたこと，を特徴とする釣り針が提供される。
【０００８】
このような本発明にかかる釣り針によれば，上記釣り針の針先近傍の末端部位に，その中央部付近に貫通孔を有する突部を形成することにより，釣り針と練り餌との結合力を増加させることができる。従って，釣り針を水中へ投与する際に練り餌が釣り針から離脱されるのを防止できるだけでなく，水中においても釣り針と練り餌との結合をより堅固に，かつ安定的に維持することができる。
【０００９】
このとき，上記貫通孔は，上記針先が延長される方向と同方向に長く形成されるのがよい。また，上記突部の上記針先が延長される方向の中間部近傍に，上記貫通孔側に切曲された切曲部が形成されるのがよい。
【００１０】
上記のように，練り餌が付着される釣り針部位の形態を変化，及び表面積を増加させたことよって，釣り針と練り餌との機械的な結束を向上させることができる。これにより，
練り餌が釣り針に堅固に結合されるようになるので，釣り針を水中へ投与するのが容易になる。更に，練り餌の釣り針との接着（結合）が安定した状態で支持されるので，釣り針に練り餌が接着された状態を，水中において長時間維持することができるようになる。
【発明の効果】
【００１１】
本発明によれば，針先近傍に突部と貫通孔とを設けたことにより，釣り針と練り餌との結合が堅固で，かつ安定的に維持される釣り針を提供できるものである。
【発明を実施するための最良の形態】
【００１２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１３】
図１は本実施形態にかかる釣り針を示す斜視図である。図２は，本実施形態にかかる釣り針の変更例を示す斜視図である。図３は，本実施形態にかかる釣り針の使用例を示す斜視図である。
【００１４】
図１及び図２に示すように，本実施形態にかかる釣り針は，鉤状の釣り針本体１０と，釣り針１０の末端部位に所定の厚さで突出された突部１１と，突部１１の中央に貫通された貫通孔１２とを含んで構成される。釣り針本体１０の一端は，釣り糸が結合可能に形成される。また，上記釣り糸が結合可能な一端からは釣り針の軸部が延長形成され，該軸部の延長された他端は鉤状に彎曲形成される。そして，鉤状に彎曲形成された部分の終端が釣り針本体１０の針先となる。
【００１５】
上記のように，釣り針本体１０は彎曲された鉤状の形状であり，その一端（図の上部）は釣り糸が結束（結合）可能に形成される。また，釣り針本体１０は金属材から成るが，それ以外の材料を用いることも可能である。
【００１６】
突部１１は釣り針の末端部位に形成され，所定の厚さと所定の長さで突出されるように形成される。すなわち，釣り針本体１０の針先近傍に突部１１が形成される。かかる突部１１を設けることにより，釣り針の表面積が広くなり，餌を堅固に取り付けることができる。
【００１７】
貫通孔１２は，突部１１の中央部位に形成される。貫通孔１２が貫通される方向は，釣り針本体１０の彎曲部によって形成される面を貫く方向に貫通されるのがよい。しかし，貫通方向は上記方向に限定されるものではなく，例えば彎曲部によって形成される面と平行方向に貫通されてもよい。また，貫通孔１２の形状は，釣り針本体１０の長手方向に長い形状，すなわち針先が延長される方向と同方向に長く形成されるのがよい。かかる貫通孔１２を設けることにより，釣り針と餌との接触面積が広くなり，餌がより堅固に結合され，また，空中及び水中における餌の脱落を防止することができるようになる。
【００１８】
また，図２に示すように，突部１１の中途部，すなわち突部１１の針先が延長される方向の中間部には，貫通孔１２側に切曲された切曲部１３を形成することもできる。かかる折曲部１３を設けることにより，折曲部１３と餌との間に引っ掛かりができて，餌をより堅固に結合することができるようになる。
【００１９】
上記のように，突部１１の形状は，所定の厚さ及び所定の長さに突出されるように形成することができる。しかし，突部１１の長さは，針先が延長される方向に長く形成されるのがより好ましい。また，突部１１の厚さは，全方向同一厚さに形成することもできるし，一平面方向に潰れた形状として該一平面方向を貫くように貫通孔１２が形成されるようにすることもできる。
【００２０】
上記のような構成を有する本実施形態にかかる釣り針の作用および効果を，添付図面に基づいて説明する。図３は，本実施形態にかかる釣り針１０が，釣り糸２と結合され，また，針先近傍の餌取り付け部に練り餌１が取り付けられた状態を示す図である。ここで，餌は練り餌１としたが，他の餌を用いることもできる。
【００２１】
図３に示すように，釣り糸２と連結（結束）された釣り針本体１０に練り餌１を接着させる場合，突部１１を中心に，練り餌１を接着させるようにする。このとき，適正な粘度の練り餌１は突部１１の中心に接着され，突部１１を通じて釣り針と練り餌が機械的に結束するようになり，堅固で安定した接着状態を維持することができる。
【００２２】
更に，突部１１に形成された貫通孔１２を貫通して練り餌１が接着され，また，切曲部１３によっても釣り針本体１０と練り餌１との接着面積が広くなる。従って，練り餌１は釣り針本体１０に堅固に密着接着されるので，釣り針１０の水中投与などによる，釣り針１０からの練り餌１の離脱を防止することができる。
【００２３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００２４】
本発明は，魚釣りに用いられる釣り針に適用可能である。
【図面の簡単な説明】
【００２５】
【図１】本発明の実施の形態による釣り針を示す斜視図である。
【図２】本発明の実施の形態の変更例による釣り針を示す斜視図である。
【図３】本発明の実施の形態による釣り針の使用例を示す斜視図である。
【符号の説明】
【００２６】
１          練り餌
２          釣り糸
１０        釣り針本体
１１        突部
１２        貫通孔
１３        切曲部
【図１】
2005253461.tif 000003
【図２】
2005253461.tif 000004
【図３】
2005253461.tif 000005